(57)【要約】【課題】端子カバーを開閉器の端子部上にワイヤで固定可能とする構造を、簡易な加工で実現可能な開閉器の端子カバー固定構造を提供すること。【解決手段】、開閉器４，５を構成する筐体を筐体幅方向に複数重ねて配置する際に、一方の筐体側面に形成した突起部１５を、他方の筐体側面に当接させることによって、前記開閉器の端子を覆う端子カバーを固定する線状部材挿通用の通孔部１６を形成する開閉器の端子カバー固定構造。【選択図】図１
2015090837.tif 000002
【特許請求の範囲】
【請求項１】
開閉器を構成する筐体を筐体幅方向に複数重ねて配置する際に、一方の筐体側面に形成した突起部を、他方の筐体側面に当接させることによって、
前記開閉器の端子を覆う端子カバーを固定する線状部材挿通用の通孔部を形成することを特徴とする開閉器の端子カバー固定構造。
【請求項２】
前記突起部が、前記一方の筐体側面を一部窪ませた窪み部に、該窪み深さと略同一の突出高さをもって形成された突起部であって、
該突起部の周囲に、前記他方の筐体側面と前記窪み部とで囲まれた通孔部を形成することを特徴とする請求項１記載の開閉器の端子カバー固定構造。
【請求項３】
該窪み部は、該通孔部の入口および出口に面した箇所を傾斜させて形成した傾斜部を備えることを特徴とする請求項２記載の開閉器の端子カバー固定構造。
【請求項４】
前記入口および出口のうち、
一方を、開閉器の取り付け面と反対方向に向けて開口させ、
他方を、前記端子部から引き出される引出線の引出方向に向けて開口させた
ことを特徴とする請求項３記載の開閉器の端子カバー固定構造。
【請求項５】
前記傾斜部の端部を、前記入口あるいは出口より延設させたことを特徴とする請求項３記載の開閉器の端子カバー固定構造。
【請求項６】
複数備えた端子部の少なくとも１つの端子部を第１端子部として、ハンドル下方の前後何れかの位置に形成した上で、他の１つの端子部を第２端子部として、
第１端子部と前記ハンドルの回動軸と直交する垂直軸との間に位置し、かつ、第１端子部の上下方向に異なる位置で、かつ、第１端子部から、開閉器を構成する筐体幅方向にずらした位置に形成し、
各端子部の筐体の幅方向で左右何れかに生じる肉厚部側に、前記通孔部を形成する窪み部と突起部を形成したことを特徴とする請求項２記載の開閉器の端子カバー固定構造。
【発明の詳細な説明】
【技術分野】
【０００１】
本発明は、開閉器の端子カバー固定構造に関するものである。
【背景技術】
【０００２】
開閉器への通電中、作業者がその端子部に触れて感電する事故を回避する手段として、端子部を覆う端子カバーを開閉器の端子部上方に着脱自在に設ける技術が広く採用されている。
【０００３】
そして、開閉器の端子部に取り付けた端子カバーを封印する封印構造を備えておき、封印が必要なときにワイヤを通して封印する構造が用いられている。封印構造として、開閉器の側面に開口部を設けてワイヤを通過させて端子カバーを封印する技術が用いられている。また、その他、端子カバーを封印する技術として、例えば、特許文献１のように、リングやワイヤを挿通可能な孔部を有する取手部を、端子部の上方に形成し、この取手部内に挿通させたリングやワイヤを、端子カバーに形成した孔部にも挿通させて固定することにより、端子カバーを封印する他、落下や紛失を回避する技術が開示されている。
【０００４】
しかし、筐体の側面に開口部を設ける構造においては、隣接する機器の形状によって開口部が塞がれ、ワイヤが通過することが出来ず固定することができない問題点があった。また、特許文献１の技術では、取手部が電線差込方向に突出しているため端子部への電線接続時に邪魔になる問題がある。
【先行技術文献】
【特許文献】
【０００５】
【特許文献１】特開２０１１−１３４５９９号公報
【発明の概要】
【発明が解決しようとする課題】
【０００６】
本発明の目的は、隣接する開閉器の筐体の形状に関わらずワイヤを固定可能とし、簡易な加工で実現可能な開閉器の端子カバー固定構造を提供することである。
【課題を解決するための手段】
【０００７】
上記課題を解決するためになされた本発明の開閉器の端子カバー固定構造は、開閉器を構成する筐体を筐体幅方向に複数重ねて配置する際に、一方の筐体側面に形成した突起部を、他方の筐体側面に当接させることによって、前記開閉器の端子を覆う端子カバーを固定する線状部材挿通用の通孔部を形成することを特徴とするものである。
【０００８】
請求項２記載の発明は、請求項１記載の開閉器の端子カバー固定構造において、前記突起部が、前記一方の筐体側面を一部窪ませた窪み部に、該窪み深さと略同一の突出高さをもって形成された突起部であって、該突起部の周囲に、前記他方の筐体側面と前記窪み部とで囲まれた通孔部を形成することを特徴とするものである。
【０００９】
請求項３記載の発明は、請求項２記載の開閉器の端子カバー固定構造であって、該窪み部は、該通孔部の入口および出口に面した箇所を傾斜させて形成した傾斜部を備えることを特徴とするものである。
【００１０】
請求項４記載の発明は、請求項２記載の開閉器の端子カバー固定構造において、前記入口および出口のうち、一方を、開閉器の取り付け面と反対方向に向けて開口させ、他方を、前記端子部から引き出される引出線の引出方向に向けて開口させたことを特徴とするものである。
【００１１】
請求項５記載の発明は、請求項２記載の開閉器の端子カバー固定構造において、前記傾斜部の端部を、前記入口あるいは出口より延設させたことを特徴とするものである。
【００１２】
請求項６記載の発明は、請求項２記載の開閉器において、複数備えた端子部の少なくとも１つの端子部を第１端子部として、ハンドル下方の前後何れかの位置に形成した上で、他の１つの端子部を第２端子部として、第１端子部と前記ハンドルの回動軸と直交する垂直軸との間に位置し、かつ、第１端子部の上下方向に異なる位置で、かつ、第１端子部から、開閉器を構成する筐体幅方向にずらした位置に形成し、各端子部の筐体の幅方向で左右何れかに生じる肉厚部側に、前記通孔部を形成する窪み部と突起部を形成したことを特徴とするものである。
【発明の効果】
【００１３】
本発明に係る開閉器の端子カバー固定構造では、開閉器を構成する筐体を筐体幅方向に複数重ねて配置する際に、一方の筐体側面に形成した突起部を、他方の筐体側面に当接させることによって、前記開閉器の端子を覆う端子カバーを固定する線状部材挿通用の通孔部を形成することにより、端子カバーを開閉器に固定し、端子カバーの脱落を防止可能にしている。このため、隣接する筐体の形状に関わらず突起部に線状部材に巻きつけて端子カバーを固定することが可能となる。また、取手部を形成しない構造であり、開閉器を構成する筐体を筐体幅方向に隣接するだけで線状部材が通過可能な通孔部が形成されるものである。
【００１４】
請求項２記載の発明のように、前記突起部は、前記一方の筐体側面を一部窪ませた窪み部に、該窪み深さと略同一の突出高さをもって形成された突起部とし、該突起部の周囲に、前記他方の筐体側面と前記窪み部とで囲まれた通孔部を形成することにより、他方の筐体側面間に空隙を設けることなく通孔部を設けることが可能で、コンパクトな装置構成および配置を実現することができる。
【００１５】
請求項３記載の発明のように、該窪み部は、該通孔部の入口および出口に面した箇所を傾斜させて形成した傾斜部を備える構成とすることにより、線状部材を、通孔部の入口から出口に向けてスムーズに通すことができ、端子カバーの取付作業の作業性向上を図ることができる。
【００１６】
請求項４記載の発明のように、前記入口および出口のうち、一方を、開閉器の取り付け面と反対方向に向けて開口させ、他方を、前記端子部から引き出される引出線の引出方向に向けて開口させた構成とすることにより、開閉器を構成する筐体を筐体幅方向に複数重ねて配置する際、隣接する筐体の存在に邪魔されることなく、線状部材を通孔部に通す作業を行うことができる。
【００１７】
請求項５記載の発明のように、前記傾斜部の端部を、前記入口あるいは出口より延設させた構成とすることにより、端子カバーを、筐体の定位置に載置させた状態でも、線状部材を通孔部に通す作業をスムーズに行うことができる。
【００１８】
前記窪み部を筐体の側面に形成する場合、筐体の壁面が薄くなり、強度低下の要因となる恐れがあるが、請求項６記載の発明のように、複数備えた端子部の少なくとも１つの端子部を第１端子部として、ハンドル下方の前後何れかの位置に形成した上で、他の１つの端子部を第２端子部として、第１端子部と前記ハンドルの回動軸と直交する垂直軸との間に位置し、かつ、第１端子部の上下方向に異なる位置で、かつ、第１端子部から、開閉器を構成する筐体幅方向にずらした位置に形成し、各端子部の筐体幅方向で左右何れかに生じる肉厚部側に、前記通孔部を形成する窪み部と突起部を形成した構成とすることにより、窪み部の形成による筐体強度の低下を回避することができる。
【図面の簡単な説明】
【００１９】
【図１】下記の実施形態に係る切替開閉器の全体斜視図（ａ）と前面図（ｂ）である。
【図２】下記の実施形態に係る切替開閉器の要部の分解拡大図である。
【図３】他の実施形態を説明する側面図である。
【発明を実施するための形態】
【００２０】
以下に本発明の好ましい実施形態を示す。
【００２１】
図１に示すように、本実施形態の切替開閉器４，５は、ハンドル１を挟むように、ハンドル１下方の前後２カ所に、第１の端子部となる出力端子部２を形成すると共に、一方の出力端子部２の上方に、第２の端子部となる入力端子部３を形成した１極式の切替開閉器４、５を重ねて、２極式構造としたものである。なお、本実施形態では、筐体のハンドル１方向を上方といい、ハンドル１から見て入力端子部３側を前方といい、反対側を後方といい、筐体の幅方向を左右方向という。
【００２２】
図１の２極式切替開閉器には、出力端子部２を覆う出力端子カバー６と、入力端子部３を覆う入力端子カバー７が、着脱自在に取り付けられている。
【００２３】
出力端子カバー６と入力端子カバー７（以下、まとめて説明する場合は、「端子カバー」と呼ぶ）は、１枚のカバーで、切替開閉器４から切替開閉器５に亘る、筐体幅方向をまとめて覆うように形成されている。本実施形態では、端子カバーは、略コ字状に形成され、切替開閉器４の端子部を覆う第一カバー部８と、切替開閉器５の端子部を覆う第二カバー部９と、第一カバー部８と第二カバー部９を連結する連結部１０を備えている。
【００２４】
切替開閉器４、５を構成する筐体には、図２に示すように、第一カバー部８と第二カバー部９を搭載する端子カバー搭載部１１が形成されている。また、端子カバー搭載部１１には、端子カバーと嵌め合せて使用される係止片１２が形成されている。
【００２５】
図１に示すように、第一カバー部８と第二カバー部９には、前記係止片１２が嵌め込まれる切欠き部１３が形成されている。係止片１２に切欠き部１３が嵌め込まれた状態から、端子カバーを取り外す場合には、端子カバーを上方に引き上げる作業が必要となる。当該構造により、振動等による端子カバーの脱落を防止している。
【００２６】
連結部１０には、端子カバーを２極式切替開閉器に対して脱落を防止するワイヤ１７が通過する孔部１４が形成されている。
【００２７】
端子カバーの取り付けは、図１に示すように、一方の筐体（切替開閉器４）側面の、詳しくは出力端子部２の後述する左右の一方の肉厚部２１に形成した突起部１５を、他方の筐体（切替開閉器５）側面に当接させることによって、通孔部１６を形成する。この通孔部１６内に挿通させた線状部材であるワイヤ１７を、端子カバーの孔部１４に挿通させたのち、ワイヤ１７の両端部を繋ぎ合わせて、突起部１５にワイヤ１７が巻きつけるように固定されて抜け止め措置を施すものである。なお、繋ぎ合わせ封印する構造としては、封印部材を固着するなどしてリング状にして行われる。当該構造によれば、複数の切替開閉器４，５を筐体幅方向に複数重ねて形成するだけで通孔部１６が形成されるようになる。また、通孔部１６の形成に際し、突起部１５を当接させる他方の筐体は、同種の機器に限定されるものではなく、端子カバーの形状も、例えば、第一カバー部８と通孔部１６のみからなる端子カバーとすることもできる。
【００２８】
本実施形態では、図１及び図２に示すように、切替開閉器４、５を構成する筐体の側面の一部を窪ませて窪み部１８を形成し、この窪み部１８から、窪み深さと略同一の突出高さをもって前記の突起部１５を形成している。このように、突起部１５を形成し、突起部１５の周囲に、他方の筐体側面と窪み部１８とで囲まれた通孔部１６を形成することにより、筐体間に空隙を設けることなく通孔部１６を設けることが可能となるのでコンパクトな装置構成および配置を実現することができる。ただし、筐体の幅方向サイズを問題としない場合には、突起部１５の突出高さ＞窪み部１８の窪み深さとすることも可能である。
【００２９】
更に、本実施形態では、図２に示すように、窪み部１８に、通孔部１６の入口および出口となる開口１６ａに面した箇所を上方から後方に向かうように傾斜させて形成した傾斜部２０を設けている。当該構造によれば、ワイヤ１７を、上方もしくは後方から押し込むだけでワイヤ１７が傾斜部２０でガイドされ、通孔部１６の入口から出口となる開口１６ａに向けてスムーズに挿通させることができ、端子カバーの取付作業の作業性向上を図ることができる。なお、端子カバーを、端子カバー搭載部１１に載置させた状態でも、ワイヤ１７をスムーズに挿通させるために、傾斜部２０は、その端部を、通孔部１６の入口あるいは出口となる開口１６ａより延設させる延設部２０ａを設けるようにすることが好ましい。
【００３０】
また、本実施形態では、通孔部１６の入口および出口のうち、一方が、切替開閉器４，５の取り付け面と反対方向となる上方に向けて開口し、他方が、出力端子部２や入力端子部３に接続される電線の出線または入線方向となる前後方向に向けて開口する構造としている。当該構造によれば、ワイヤ１７の引出し方向が、各端子部に接続される電線の配線方向と平行となり、切替開閉器４，５を構成する筐体を筐体幅方向に複数重ねて配置する際、隣接する筐体の存在に邪魔されることなく、ワイヤ１７を通孔部１６に通す作業を行うことができる。なお、各々異なる面に向けて開口１６ａを形成することにより、一方の開口１６ａが電線などで挿入を行い難い場合に他方の開口１６ａから挿入することができるものである。また、他の実施形態として、図３（ａ）に示すように、通孔部１６の入口および出口となる開口１６ａの双方を、切替開閉器４，５の取り付け面と反対方向に向けて開口させる構造や、図３（ｂ）に示すように、通孔部１６の入口および出口となる開口１６ａの双方を、出力端子部２や入力端子部３に接続される電線の出線または入線方向に向けて開口させる構造とすることも可能である。
【００３１】
なお、前記の窪み部１８を筐体の側面に形成する場合、筐体の壁面が薄くなり、強度低下の要因となる恐れがあるが、本実施形態では、入力端子部３を、出力端子部２に対し、前後上下方向にずらして配置し、各端子部の筐体の幅方向で左右何れかに肉厚部２１を形成し、この肉厚部２１側に、前記の窪み部１８を形成した構成とすることにより、窪み部１８の形成による筐体強度の低下を回避している。また、本実施形態では、筐体幅をコンパクトにするために、入力端子部３と出力端子部２は、各々、筐体幅方向２等線に一部重複するように配置しており、この配置で、両者の絶縁距離を確保するために、入力端子部３と出力端子部２の間に、沿面距離確保を目的とした隔壁部２２を形成している。
【００３２】
上記においては、出力端子部２の左右の何れかに形成した肉厚部２１に突起部１５、窪み部１８を形成した構造について説明したが、本実施形態では、図１（ｂ）に示すように、切替開閉器４および切替開閉器５の、各々の、出力端子部２と入力端子部３の左右の何れかに、肉厚部２１が形成され、各肉厚部２１に、各々、窪み部１８と突起部１５が形成され、切替開閉器４と切替開閉器５の重ね合せ面の上下２カ所に通孔部１６が形成されている。上側の通孔部１６は、切替開閉器５の筐体に形成した窪み部１８側に形成され、下側の通孔部１６は、切替開閉器４の筐体に形成した窪み部１８側に形成されるため、上下の通孔部１６位置に若干のズレが生じるが、このズレにより、上下各々の通孔部１６に挿通されるワイヤ１７同士の干渉を回避することができる。
【００３３】
本実施形態においては、前後２ヵ所の第１の端子部を出力端子部２として、第１の端子部の上下方向に異なる位置に形成した第２の端子部を入力端子部３として形成し、出力方向を変更して使用することについて説明したものであるが、他の実施形態として、前後２ヵ所の第１の端子部を入力端子部として、第２の端子部を出力端子部として形成し、入力方向を変更して使用するものであっても良い。
【００３４】
また、上記実施形態では、ハンドル１を操作することにより出力端子部２をいずれかの側に切り換える切替開閉器４，５の説明を行ったが、本発明の開閉器は、切替開閉器に限定されるものではなく、配線用遮断器など、開閉器一般に適用可能である。
【符号の説明】
【００３５】
１  ハンドル
２  出力端子部
３  入力端子部
４、５  切替開閉器
６  出力端子カバー
７  入力端子カバー
８  第一カバー部
９  第二カバー部
１０  連結部
１１  端子カバー搭載部
１２  係止片
１３  切欠き部
１４  孔部
１５  突起部
１６  通孔部
１６ａ  開口
１７  ワイヤ
１８  窪み部
２０  傾斜部
２０ａ  延設部
２１  肉厚部
２２  隔壁部
【図１】
2015090837.tif 000003
【図２】
2015090837.tif 000004
【図３】
2015090837.tif 000005